(57)【特許請求の範囲】
【請求項１】
加入者側光伝送装置と、該加入者側光伝送装置に接続する光伝送系と、該加入者側光伝送装置と該光伝送系を介して光通信を行う局側光伝送装置とを有すると共に、該加入者側光伝送装置および該局側光伝送装置の少なくとも一方が、一重化構成の機器と多重化構成の機器との混在により構成される光ネットワークにおいて、
前記加入者側光伝送装置および該局側光伝送装置の少なくとも一方に、伝送経路切替手段と伝送経路変換手段を備え、
前記光伝送系を形成する物理層より上位の論理層上において定義された異なる伝送経路を、前記伝送経路切替手段により、前記多重化構成の機器の現用系および予備系の各々と、前記一重化構成の機器とに、個別に割り当て、前記伝送経路変換手段が、前記光伝送系上で割り当てられた前記伝送経路を、加入者側又は局側に割り当てられた固有の伝送経路に変換することを特徴とする光ネットワーク。
【請求項２】
光ネットワークにおいて光伝送系に接続し、少なくとも多重化構成の機器を含む加入者側光伝送装置であって、
伝送経路切替手段と伝送経路変換手段を備え、
前記光伝送系を形成する物理層より上位の論理層上において定義された異なる伝送経路を、前記伝送経路切替手段により、前記多重化構成の機器の現用系および予備系の各々に、個別に割り当て、前記伝送経路変換手段が、前記光伝送系上で割り当てられた前記伝送経路を、加入者側に割り当てられた固有の伝送経路に変換することを特徴とする加入者側光伝送装置。
【請求項３】
前記光ネットワークがＡＴＭネットワークであるとき、前記の異なる伝送経路は、異なる仮想パスまたは仮想チャネルによって形成されることを特徴とする請求項２に記載の加入者側光伝送装置。
【請求項４】
光ネットワークにおいて光伝送系に接続し、多重化構成の機器を含む局側光伝送装置であって、
伝送経路切替手段と伝送経路変換手段を備え、
前記光伝送系を形成する物理層より上位の論理層上において定義された異なる伝送経路を、前記伝送経路切替手段により択一的に切り替え、前記伝送経路変換手段が、前記光伝送系上で割り当てられた前記伝送経路を、局側に割り当てられた固有の伝送経路に変換して、加入者側との光通信を行うことを特徴とする局側光伝送装置。
【発明の詳細な説明】
【０００１】
【発明の属する技術分野】
本発明は、二重化機構を用いたプロテクション機能を備える光ネットワーク例えば受動光ネットワークＰＯＮ（Ｐａｓｓｉｖｅ  Ｏｐｔｉｃａｌ  Ｎｅｔｗｏｒｋ）に関する。
近年、各加入者における情報量の急激な増大に対処するために、光ネットワークが急速に普及し始めている。現状では、ＷＤＭ（Ｗａｖｅｌｅｎｇｔｈ  Ｄｉｖｉｓｉｏｎ  Ｍｕｌｔｉｐｌｅｘ）の技術を利用し、スプリッタ（ｓｐｌｉｔｔｅｒ）により光信号を直接分岐して、上り光信号および下り光信号を単一の光ファイバで送受信するようにしたＰＯＮが、その光ネットワークの代表例である。
【０００２】
本発明は、そのような光ネットワークにおいて上記プロテクション機能を実現するための装置構成について述べるものである。
【０００３】
【従来の技術】
図２２はプロテクション機能を備える従来の光ネットワークの構成例を示す図である。
本図において、光ネットワーク１は、複数（Ｎ台）の加入者側光伝送装置１０と、これら加入者側光伝送装置１０との間で光信号の授受を行う局側光伝送装置２０と、その光信号の授受、すなわち光通信を行うための光伝送系２とを有する。
【０００４】
光伝送系２は、ツリー状の光ファイバｆの群と、その中に挿入されるスプリッタ群３とを含む。この光伝送系２を介して、各加入者４と局５との間での通信が実現される。なおこの局５は交換機と考えることもできる。
図２２の光ネットワーク構成例についてさらに詳しく具体的に説明する。
この構成例は、ＩＴＵ−Ｔ（Telecommunication Standardization Sector of International Telecommunication Union ）の勧告Ｇ．９８３．１：Broadband optical access systems based on Passive Optical Networks (PON) のAPPENDIX IV （Access network survivability ）のIV.3.1：Configuration examples に示される、Figure IV.2/G.983.1-Duplex ATM-PON system d ）であり、交絡型システム構成の１つである。ここに、図２２に示す各加入者側光伝送装置１０は具体的にＯＮＵ（Ｏｐｔｉｃａｌ  Ｎｅｔｗｏｒｋ  Ｕｎｉｔ）またはＯＮＴ（Ｏｐｔｉｃａｌ  Ｎｅｔｗｏｒｋ  Ｔｅｒｍｉｎａｔｉｏｎ）であり、局側光伝送装置２０は具体的にＯＬＴ（Ｏｐｔｉｃａｌ  Ｌｉｎｅ  Ｔｅｒｍｉｎａｔｉｏｎ）である。なおＯＮＵおよびＯＮＴは、勧告Ｇ９８３．１およびＧ９８３．２に従ってそれぞれ定義される装置であるが、後述する本発明のもとでは特に両者を区別して扱う有用性はないので、これらをＯＮＵ（ＯＮＴ）として表す。
【０００５】
図２２の光ネットワーク１におけるプロテクション機能は二重化機構によって実現され、この二重化機構は、ＯＮＵ（ＯＮＴ）＃１においては二重化構成のＰＯＮ−ＬＴ６（０）および６（１）として示され、またＯＬＴにおいては二重化構成のＰＯＮ−ＩＦ７（０）および７（１）として示される。一方、ＯＮＵ（ＯＮＴ）＃ＮにおけるＰＯＮ−ＬＴ６は、一重化構成のＰＯＮ−ＬＴである。これらの二重化構成（６（０），６（１），７（０），７（１））は、光ネットワーク１内のいわゆる現用系（０）および予備系（１）を形成するものであり、何らかの故障が発生したときに、これら現用系（０）と予備系（１）との間で切替えを実行することにより、上記プロテクション機能が発揮される。この切替えは、加入者４側ではセレクタ（ＳＥＬ）８により行われ、局５側ではセレクタ（ＳＥＬ）９により行われる。
【０００６】
また図２２において、光伝送系２は具体的にＯＤＮ（Ｏｐｔｉｃａｌ  Ｄｉｓｔｒｉｂｕｔｉｏｎ  Ｎｅｔｗｏｒｋ）である。
再び図２２を参照すると、全てのＯＮＵ（Ｏｐｔｉｃａｌ  Ｎｅｔｗｏｒｋ  Ｕｎｉｔ）またはＯＮＴ（Ｏｐｔｉｃａｌ  Ｎｅｔｗｏｒｋ  Ｔｅｒｍｉｎａｔｉｏｎ）１０のＰＯＮ−ＬＴ（Ｌｉｎｅ  Ｔｅｒｍｉｎａｌ）６，６（０），６（１）が、４個２段構成のスプリッタ群３を介し、ＯＤＮ２の上流端にあるＯＬＴ（Ｏｐｔｉｃａｌ  Ｌｉｎｅ  Ｔｅｒｍｉｎａｔｉｏｎ）２０の二重化構成のＰＯＮ−ＩＦ（Ｉｎｔｅｒｆａｃｅ）７（０），７（１）に接続される。ＯＬＴは二重化構成であるが、各ＯＮＵ（ＯＮＴ）は二重化構成でも一重化構成でもどちらでもよい。この場合、ＯＬＴおよびＯＮＵ（ＯＮＴ）のそれぞれの予備系（１）は、コールドスタンバイとなる。すなわち、該予備系は電源オン状態にあるが、光信号は出力しない。これらが光信号を出力すると、スプリッタ群３において、現用系の光信号に干渉してしまうからである。
【０００７】
一般的には、上記のように、各ＯＮＵ（ＯＮＴ）は二重化構成でも一重化構成でも構わない。いずれの構成を採用するかは、通信業者（キャリア）あるいは加入者の随意である。この結果、加入者側では一重化ＰＯＮ−ＬＴと、二重化構成のＰＯＮ−ＬＴ（０），ＰＯＮ−ＬＴ（１）とが混在してしまうことになる。しかしこのような混在は、上記のプロテクション機能に関して不都合な問題を引き起こすことになる。本発明は主としてこのような混在によって引き起こされる不都合な諸問題を解決することを主眼とするものである。以下これについて、課題Ａ）〜Ｌ）として、詳述する。
【０００８】
【発明が解決しようとする課題】
課題Ａ）〜Ｌ）は次のとおりである。
Ａ）仮に図２２のＯＮＵ（ＯＮＴ）を３２台（ＯＮＵ（ＯＮＴ）＃１〜＃３２）接続し、その全てのＯＮＵ（ＯＮＴ）が二重化構成をとるものとする。この場合、そのＯＤＮとの接続端での光強度は、６４分岐の光スターカプラ（スプリッタ群３）１個を使用して６４台のＯＮＵ（ＯＮＴ）を接続した場合と等価となり、その光強度は大幅に低下する。そうすると、光信号送受信時での光強度限界制限規定（ＩＴＵ−Ｔ  Ｇ．９８３．１）により、各加入者４側と局５側との間の接続可能距離を、通常時（最大で３２台のＯＮＵ／ＯＮＴでかつ二重化構成なし）の接続可能距離よりも極端に短くしなければならなくなる。
【０００９】
Ｂ）ＯＬＴにおける二重化構成のＰＯＮ−ＬＴの予備系７（１）はコールドスタンバイでなければならない（前述）。そうすると、その予備系を現用系に切り替える必要が生じた場合、その切替えをする前に事前に該予備系の正常性のチェックをしておくことができない。このため、もしその予備系に障害があったとすると、実際にその切替えを実行した後で初めてその障害が認識されることになる。したがって信頼度の高いプロテクション機能が得られない。
【００１０】
Ｃ）ＯＮＵ（ＯＮＴ）が、二重化構成および一重化構成のいずれかになっているかは、現在の勧告（ＩＴＵ−Ｔ  Ｇ．９８３．１）に従った場合に、ＯＬＴが自律的にはチェックすることができない。つまり、ＯＬＴはある加入者のＯＮＵ（ＯＮＴ）に障害があることが分かっても、そのＯＮＵ（ＯＮＴ）が二重化構成なのか一重化構成なのかが不明であるため、現用／予備の切り替え指令を出せるのか否かの判断がつかない。
【００１１】
なおＩＴＵ−Ｔ  Ｇ．９８３．２：The ONT Management and Control Interface Specificationにおいて、この問題に関する規定が追加される可能性はあるが、現在のＩＴＵ−Ｔ  Ｇ．９８３．２においては規定されていない。また、ＦＴＴＣ（Ｆｉｂｅｒ  Ｔｏ  Ｔｈｅ  Ｃａｂｉｎｅｔ／Ｃｕｒｂ）の制御方法についても規定されていない。
【００１２】
Ｄ）公知のＡＰＳ（Ａｕｔｏｍａｔｉｃ  Ｐｒｏｔｅｃｔｉｏｎ  Ｓｗｉｔｃｈｉｎｇ）システムにて使用されるＫ１／Ｋ２バイトをプロテクションのために利用しようとする場合、このＫ１／Ｋ２バイトはＰＳＴ（ＰＯＮ  Ｓｅｃｔｉｏｎ  Ｔｒａｃｅ）メッセージによって運ばれることになる。しかしながら下り方向に送信されるＰＳＴメッセージは、ＰＯＮの仕組み上ブロードキャストされるのみであり、ＯＮＵ（ＯＮＴ）毎に個別に切替えを指示する手段は、ＩＴＵ−ＴＧ．９８３．１には規定されていない。したがって、ＯＮＵ（ＯＮＴ）毎に個別に切替え指示するには、メッセージを非標準のものに拡張する必要がある。
【００１３】
Ｅ）上記のとおり切替え手順がＩＴＵ−Ｔ  Ｇ．９８３．１には規定されていないため、その切替えを実施する場合、その手順は必然的に各ベンダー毎の独自仕様となる。この結果、互換性がなくなり他社機器との接続性は確保できない。Ｆ）ＩＴＵ−Ｔ  Ｇ．９８３．１にて言及されているＫ１／Ｋ２バイトが、ＩＴＵ−Ｔ  Ｇ．７８３：Characteristics of synchronous digital hierarchy (SDH) equipment functional blocksのＡＮＮＥＸ（Ａ）とＡＮＮＥＸ（Ｂ）に定義されている方式のうち、どちらを指定しているのかは明記されていない。このため、ＡＮＮＥＸ（Ａ）または（Ｂ）のどちらの方式を採用するかによって、Ｋ１／Ｋ２バイト内の記述内容および切替え手順が異なってくる。この結果、他社機器との接続を保証することができない。
【００１４】
上記の事項に関し、例えば、ＩＴＵ−Ｔ  Ｇ．７８３  ＡＮＮＥＸ（Ｂ）においては現用系／予備系の概念があるが、ＩＴＵ−Ｔ  Ｇ．７８３  ＡＮＮＥＸ（Ａ）には存在しない。したがって、ＩＴＵ−Ｔ  Ｇ．７８３  ＡＮＮＥＸ（Ｂ）では、現用系／予備系の名称変更手順が必要となるが、ＩＴＵ−Ｔ  Ｇ．７８３ＡＮＮＥＸ（Ａ）にはその必要ない。また、交絡型（またはコールドスタンバイ）の切替え手順の標準方式についてもまだ実現されていない。
【００１５】
Ｇ）ＯＮＵ（ＯＮＴ）側の二重化構成のＰＯＮ−ＬＴ６（０），６（１）について見ると、これらＰＯＮ−ＬＴ６（０）および６（１）間の切替えを実現するためには、予備系がコールドスタンバイ状態にあるものの、各ＯＮＵ（ＯＮＴ）＃１〜＃Ｎの間では個別メッセージは受信している必要がある。しかし、その受信をしようとしても、該予備系はコールドスタンバイ状態にあるからまだ立ち上がっていないから、その個別メッセージの受信に必要なＰＯＮ−ＩＤ（Ｉｄｅｎｔｉｆｉｃａｔｉｏｎ）を受け取れていない。つまりブロードキャストメッセージ以外には何のメッセージも受信できない。したがってＯＮＵ（ＯＮＴ）＃１〜＃Ｎ毎にそれぞれのＰＯＮ−ＬＴの運用系を切替えるためのメッセージを、該予備系では受け取ることができない。
【００１６】
Ｈ）ＯＬＴ２０の現用系ＰＯＮ−ＬＴ７（０）が故障した状態に陥ったとするとこの場合、その現用系においてもＰＯＮ−ＩＤが消失することになる。このためＯＮＵ（ＯＮＴ）＃１〜＃Ｎ毎のＡＰＳバイトの検出ができなくなる。つまり、ＯＮＵ（ＯＮＴ）＃１だけといったような部分切替えができず、究極はＯＤＮの面切替え（現用／予備切替え）をしなければならず、サービスが全面的に一時停止してしまう。
【００１７】
Ｉ）上記Ｈ）項の不都合を解決するためには、ＯＬＴにおける現用系ＰＯＮ−ＬＴの運用時に、取得したＰＯＮ−ＩＤをＯＬＴの予備系ＰＯＮ−ＬＴにおいても認識しておき、ＰＳＴメッセージを現用／予備の両系で受け取っておく必要がある。しかしこのような動作仕様はＩＴＵ−Ｔ  Ｇ．９８３．１の規定外の仕様となり、結局他社機器との接続を保証することができない。
【００１８】
Ｊ）ＯＬＴからのブロードキャストにより、ＯＮＵ（ＯＮＴ）＃１〜＃Ｎへ切替え指示を送出した場合、その指示の受取り先（ＯＮＵ（ＯＮＴ）＃１〜＃Ｎ）を個別に指定することができないため、全てのＯＮＵ（ＯＮＴ）＃１〜＃Ｎが一斉に系切替えすることとなる。しかしながら一重化構成のＯＮＵ（ＯＮＴ）（例えば＃Ｎ）は系切替えを行うことのできないので、結局、一重化構成のＯＮＵ（ＯＮＴ）と二重化構成のＯＮＵ（ＯＮＴ）との混在は、同一のＯＤＮ上では成立し得ない。
【００１９】
Ｋ）ＯＤＮの支線（加入者４側とスプリッタ群３との間）２ａ故障と幹線（スプリッタ群３と局５側との間）２ｂ全故障との区別が困難である。
Ｌ）現用／予備の切替えを実施した場合、その切替え時間は、警報保護時間１秒＋ＰＳＴメッセージ送出１秒＋ＯＮＵ（ＯＮＴ）立ち上げ時間３秒×全接続ＯＮＵ（ＯＮＴ）のＰＯＮ−ＬＴ総数（最大６４）＋ＰＳＴメッセージ受信１秒、で最大１９５秒（二重化構成のＯＮＵ／ＯＮＴが３２台のとき）が必要となる。しかしこれでは実質的にサービスの全面停止であり、実用にならない。
【００２０】
したがって本発明は、上記の諸問題点を解決することのできる、すなわち一重化構成の機器と二重化構成の機器とが混在するようなシステム構成であっても、通信異常の発生時にプロテクション機能を確実に発揮できる光ネットワークを提供することを目的とするものである。
【００２１】
【課題を解決するための手段】
図１は本発明に係る光ネットワークの基本構成を示す図である。
まず本発明の前提とする光ネットワーク１は、加入者側光伝送装置１０と、加入者側光伝送装置１０に接続する光伝送系２と、加入者側光伝送装置１０と光伝送系２を介して光通信を行う局側光伝送装置２０とを有すると共に、加入者側光伝送装置１０および局側光伝送装置２０の少なくとも一方が、一重化構成の機器１１と多重化構成の機器１１（０），１１（１），２１（０），２１（１）との混在により構成される光ネットワークである。
【００２２】
ここに、一重化構成の機器１１と、多重化構成の機器１１（０），１１（１）は、前述した図２２におけるＰＯＮ−ＬＴ６と、ＰＯＮ−ＬＴ６（０）および６（１）にそれぞれ相当する。またここで二重化構成の機器と表現せず多重化構成の機器と表現したのは、本発明によれば、二重化構成のみならず、必要ならば三重化構成や四重化構成の機器にも容易にプロテクション機能を拡張できるからである。ただし、後述する詳細な説明は、代表例として二重化構成の機器について行う。
【００２３】
上述した本発明の前提となる光ネットワーク１において、本発明の基本的な特徴は、次の点にある。すなわち、
加入者側光伝送装置１０および局側光伝送装置２０の少なくとも一方に、伝送経路切替手段１２，２２と伝送経路変換手段１３，２３を備える点、および
光伝送系２を形成する物理層より上位の論理層上において定義された異なる伝送経路を、伝送経路切替手段１２，２２により、上述した多重化構成の機器の現用系および予備系の各々と、上述した一重化構成の機器とに、個別に割り当てる点、である。
【００２４】
またさらに好ましくは、光伝送系２上で割り当てられた上記の伝送経路を、加入者側光伝送装置１０より下流側（加入者４側）に割り当てられた固有の伝送経路に変換する加入者側伝送経路変換手段１３を、伝送経路切替手段１２に対してさらに付加するようにする。
同様に、光伝送系２上で割り当てられた伝送経路を、局側光伝送装置２０より上流側（局５側）に割り当てられた固有の伝送経路に変換する局側伝送経路変換手段２３を、伝送経路切替手段２２に対して、さらに付加するようにする。
【００２５】
ここで、上述した「光伝送系２の物理層より上位の論理層上で定義された異なる伝送経路」についてさらに具体的に説明する。
光ネットワーク１がＡＴＭ（Ａｓｙｎｃｈｒｏｎｏｕｓ  Ｔｒａｎｓｆｅｒ  Ｍｏｄｅ）ネットワークであるとき、上記の異なる伝送経路は、異なる特定の仮想パス（ＶＰ）または特定の仮想チャネル（ＶＣ）によって形成することができる。
【００２６】
また、光ネットワーク１がＳＴＭ（Ｓｙｎｃｈｒｏｎｏｕｓ  Ｔｒａｎｓｆｅｒ  Ｍｏｄｅ）ネットワークであるならば、上記の異なる伝送経路は、異なる特定のタイムスロットによって形成することができる。
ただし後述する詳細な説明は、伝送経路として、ＡＴＭネットワークをベースにした仮想パス（ＶＰ）を例にとって行う。ＳＴＭネットワークをベースにする場合は、そのＶＰをタイムスロットに単純に置き換えて考えればよい。
【００２７】
なお、上記の伝送経路切替手段１２，２２は、光伝送系２上で発生した通信異常を契機に、切替を実行するようにする。この場合、その通信異常の検出は、ＶＰのパーフォマンスモニタの結果に基づいて行ってもよいし、あるいは、ラインエラーの検出によって行ってもよい。
【００２８】
【発明の実施の形態】
以下、実施例として、本発明に基づく４つの形態の光ネットワーク（ＰＯＮとする）について記述し、かつ、それぞれの形態におけるＰＯＮプロテクション動作例について記述する。
〔実施例Ｉ〕
図２は実施例Ｉに基づく光ネットワークを示す図であり、
図３は、実施例Ｉに基づく他の光ネットワークを示す図である。なお、全図を通じて同様の構成要素には同一の参照番号または記号を付して示す。
【００２９】
ＰＯＮ（光ネットワーク）１は、スプリッタ群３を含むＯＤＮ（光伝送系）２と、その両端に、それぞれ支線２ａおよび幹線２ｂを通して、配置された、ＯＮＵ（ＯＮＴ）（加入者側光伝送装置）３１およびＯＬＴ（局側光伝送装置）２０とからなる。さらに、ＯＮＵ（ＯＮＴ）３１（図１の機器１１，１１（０），１１（１）に相当）には、切替／変換部（ＳＷ／ＣＯＮＶ）３２が設けられ、他方、ＯＬＴ２０内には図１の機器２１（０），２１（１）に相当するＰＯＮ−ＩＦ（ｉｎｔｅｒｆａｃｅ）４１（０），４１（１）と切替／変換部（ＳＷ／ＣＯＮＶ）４２（０），４２（１）とが設けられる。
【００３０】
加入者４側の上記切替／変換部（ＳＷ／ＣＯＮＶ）３２は、図１の伝送経路切替（ＳＷ）手段１２と伝送経路変換（ＣＯＮＶ）手段１３とを一体にして一つのユニットとしたものである。
一方、局５側の上記切替／変換部（ＳＷ／ＣＯＮＶ）４２は、図１の伝送経路切替（ＳＷ）手段２２と伝送経路変換（ＣＯＮＶ）手段２３とを一体にして一つのユニットとしたものである。
【００３１】
次に図３を参照すると、局５側のＳＷ／ＣＯＮＶ４２が、図２ではＰＯＮ−ＩＦ４１（０）および４１（１）上にそれぞれ別個に設けられていたのに対し、図３の構成では、ＰＯＮ−ＩＦ４１（０）および４１（１）に対して、これらからは独立して、共通に１つ設け、これらにより共用される。したがって図３の場合は図２の場合よりも、ＰＯＮ−ＩＦ４１（０），４１（１）そのものの構成を簡素化できる。
【００３２】
図２および図３に示す実施例Ｉに基づくＰＯＮ１は、
“OLT only duplex system with dual path connection”(２ＯＮＵ（ＯＮＴ）／１ｓｐｌｉｔｔｅｒ）型のＰＯＮである。すなわち、ＯＬＴ２０のみが二重化構成であって、２つのパスコネクション（支線２ａで２つのパスを通す）を形成する形式のＰＯＮである。これについてさらに詳しく説明する。
【００３３】
２台の一重化構成のＯＮＵ（ＯＮＴ）３１を加入者宅に設置し、それぞれに異なる仮想パスＶＰ（またはタイムスロット（Ｔｉｍｅ−ｓｌｏｔ））にてパスを張る。さらに、ＯＮＵ（ＯＮＴ）３１のユーザインタフェース側にＶＰ（またはＴｉｍｅ−ｓｌｏｔ）の切替え機能を持つＳＷ／ＣＯＮＶ３２を設置し、一方、ＯＬＴ２０のＰＯＮ  Ｉ／Ｆ４１上またはその上流部に、ＶＰ（またはＴｉｍｅ−ｓｌｏｔ）の切替え（ＳＷ）および変換（ＣＯＮＶ）機能をＳＷ／ＣＯＮＶ４２として持たせる。
【００３４】
このような環境において、障害が発生したとき、加入者４側もしくはＯＬＴ２０側にて、ＶＰ（またはＴｉｍｅ−ｓｌｏｔ）切替えおよびＶＰ（またはＴｉｍｅ−ｓｌｏｔ）変換を行う。これによりパスの切替えを行い、ＯＤＮ２に対するプロテクション機能を果す。なおＯＬＴ２０上のＶＰ（またはＴｉｍｅ−ｓｌｏｔ）の切替えおよび変換機能部すなわちＳＷ／ＣＯＮＶ４２の搭載位置により、２方式をとることができる（図２と図３の２方式）。
【００３５】
上述した本発明の方式によると、
（ｉ）従来技術と比較して光分岐数が少なく最大３２または接続されたＯＮＵ（ＯＮＴ）３１と同数であり、既述の問題点Ａ）を解決することができる。
（ii）ＯＮＵ（ＯＮＴ）３１はＰＯＮ−ＬＴ６が１つですみ、ＯＮＵ（ＯＮＴ）３１に付加機能を持たせる必要がない。このため、この切替え機能の実現には、ＯＮＵ（ＯＮＴ）３１の構造や機能に依存せず、ＯＮＵ（ＯＮＴ）３１は二重化構成状態を意識する必要もない。さらにＶＰ（またはＴｉｍｅ−ｓｌｏｔ）切替は、ＰＯＮ−Ｌａｙｅｒに影響せずＯＮＵ（ＯＮＴ）３１側のＶＰ（またはＴｉｍｅ−ｓｌｏｔ）切替のためのＳＷ／ＣＯＮＶ３２としては一般的な装置を使用できる。この結果、他社機器との接続は可能となる。つまり、既述の問題点Ｃ），Ｄ），Ｅ），Ｆ）およびＪ）を解決することができる。
【００３６】
また、後述する図４、図５および図６にて示す解析シーケンスに従って、支線故障と幹線故障の区別が可能となる。つまり既述の問題点Ｋ）を解決することができる。
さらに二重化構成をとる加入者のＯＮＵ（ＯＮＴ）切替えには、故障ＯＮＵ（ＯＮＴ）３１の閉塞作業のみで対処できるため、この点からも再び問題点Ｊ）を解決することができる。
【００３７】
さらにまた立ち上げ操作が不要であることから、既述の問題点Ｌ）をも解決することができる。
本発明のように、ＶＰ切替（またはｔｉｍｅ−ｓｌｏｔ切替）をＰＯＮシステムに適用する場合、ＰＯＮシステムに固有の特性を考慮した上で前述の諸問題点特にＣ）〜Ｋ）を解決する必要があるが、上記のとおり既に問題点Ｃ），Ｄ），Ｅ），Ｆ）およびＪ）を解決していることから、解決される。
【００３８】
加入者サイドに設置するＳＷ／ＣＯＮＶ３２としては、既存のＡＴＭスイッチ等の装置が使用可能であり、その遠隔制御は、ＳＷ／ＣＯＮＶ制御用に、ＯＤＮ２上でパスを割り当てることにより、容易に可能である。
図４はＯＮＵ（ＯＮＴ）とＳＷ／ＣＯＮＶとの間に故障が発生した場合の実施例Ｉの切替シーケンスを示す図であり、
図５はＯＮＵ（ＯＮＴ）とＯＬＴとの間の支線に故障が発生した場合の実施例Ｉの切替シーケンスを示す図であり、
図６はＯＮＵ（ＯＮＴ）とＯＬＴとの間の幹線に故障が発生した場合の実施例Ｉの切替シーケンスを示す図である。
【００３９】
まず図４を参照すると、図２（または図３）のＯＮＵ（ＯＮＴ）３１とＳＷ／ＣＯＮＶ３２との間で故障Ｘが発生したものとする（故障態様ａ）。するとＰＯＮネットワーク１内では、次のような動作が順次発生する。なお、本図以降の図において、ＳＷ／Ｃｏｎｖｅｒｔｅｒは前述したＳＷ／ＣＯＮＶ３２を表し、Ｃｕｒｒｅｎｔ  ＯＮＵ（ＯＮＴ）は現用の前述したＯＮＵ（ＯＮＴ）３１を表し、Ｔａｒｇｅｔ  ＯＮＵ（ＯＮＴ）は故障Ｘの発生により切替えられるべき切替え先のＯＮＵ（ＯＮＴ）３１を表す。ＯＬＴは前述したＯＬＴ２０である。
【００４０】
＜Ｉ−ａ−１＞  故障Ｘに起因して、ＳＷ／ＣＯＮＶ３２はＣｕｒｒｅｎｔ  ＯＮＵ（ＯＮＴ）との間の通信異常を検出する。
＜Ｉ−ａ−２＞  ＳＷ／ＣＯＮＶ３２はＣｕｒｒｅｎｔ  ＯＮＵ（ＯＮＴ）との間を通信閉塞とする。そしてホットスタンバイのＴａｒｇｅｔ  ＯＮＵ（ＯＮＴ）へのパスＶＰ＃２に切り替える。
【００４１】
＜Ｉ−ａ−３＞  ＯＬＴ２０では、ＳＷ／Ｃｏｎｖｅｒｔｅｒから切替通知を受信する。
＜Ｉ−ａ−４＞  ＯＬＴ２０は、故障Ｘの位置からして、Ｃｕｒｒｅｎｔ  ＯＮＵ（ＯＮＴ）との通信には異常がないことから、ＯＤＮ２０には異常がなく、ＯＮＵ（ＯＮＴ）とＳＷ／ＣＯＮＶとの間の異常と判断する。そして使用できなくなったＣｕｒｒｅｎｔ  ＯＮＵ（ＯＮＴ）へ閉塞指示を送信する。
【００４２】
＜Ｉ−ａ−５＞  ＯＬＴ２０はＣｕｒｒｅｎｔ  ＯＮＵ（ＯＮＴ）からの通信閉塞の完了通知を受信する。
次に図５を参照すると、図２（または図３）のＯＮＵ（ＯＮＴ）３１とＯＬＴ２０との間の支線２ａで故障Ｘが発生したものとする（故障状態ｂ）。するとＰＯＮネットワーク１では、次のような動作が順次発生する。
【００４３】
＜Ｉ−ｂ−１＞  ＯＬＴ２０は、故障Ｘに起因して、Ｃｕｒｒｅｎｔ  ＯＮＵ（ＯＮＴ）との間に通信異常があることを検出する。
＜Ｉ−ｂ−２＞  ＯＬＴ２０は、支線２ａでの故障であり、他のＯＮＵ（ＯＮＴ）との間では通信に異常がないことから、Ｃｕｒｒｅｎｔ  ＯＮＵとの間の通信のみでの異常であること、ＯＤＮの幹線２ｂには異常はなく、ＯＤＮのＣｕｒｒｅｎｔ  ＯＮＵ（ＯＮＴ）への支線２ａもしくはＣｕｒｒｅｎｔ  ＯＮＵ（ＯＮＴ）との異常であること、を判断する。そして該当ＳＷ／Ｃｏｎｖｅｒｔｅｒへパス切替え（ＶＰ＃１→ＶＰ＃２）の指示をＶＰ＃２経由で送信する。
【００４４】
＜Ｉ−ｂ−３＞  ＳＷ／ＣＯＮＶ３２は、Ｃｕｒｒｅｎｔ  ＯＮＵ（ＯＮＴ）との通信を閉塞する。そしてＴａｒｇｅｔ  ＯＮＵ（ＯＮＴ）のパスへの切替えを行う。
＜Ｉ−ｂ−４＞  ＯＬＴ２０は、ＳＷ／Ｃｏｎｖｅｒｔｅｒからのパス切替え完了通知を受信する。
【００４５】
次に図６を参照すると、図２（または図３）のＯＮＵ（ＯＮＴ）３１とＯＬＴ２０との間の幹線２ｂまたはスプリッタ群３で故障Ｘが発生したものとする（故障態様ｃ）。するとＰＯＮネットワーク１では、次のような動作が順次発生する。
＜Ｉ−ｃ−１＞  ＯＬＴ２０は、故障Ｘに起因して、全てのＯＮＵ（ＯＮＴ）との間で通信異常を検出する。
【００４６】
＜Ｉ−ｃ−２＞  ＯＬＴ２０は、全てのＯＮＵ（ＯＮＴ）との間に通信の異常があることから、特定のＯＮＵ（ＯＮＴ）の異常ではなく、ＯＤＮ２の幹線２ｂまたはスプリッタ群３の異常であると判断する。そしてＯＬＴ２０の現用ＰＯＮ−ＩＦ４１（０）を閉塞し、予備系ＰＯＮ−ＩＦ４１（１）への切替えを実施する。
【００４７】
＜Ｉ−ｃ−３＞ 上記＜Ｉ−ｃ−２＞によって通常状態が回復しなかった場合、ＯＬＴ２０はその予備系ＰＯＮ−ＩＦ４１（１）への切替えが完了した後も、依然全てのＯＮＵ（ＯＮＴ）との通信が不可であることを検出する。
＜Ｉ−ｃ−４＞ ＯＬＴ２０は、ＯＤＮ２のスプリッタ群３での異常が原因であるものと判断する。そしてＯＬＴ２０の該当ＰＯＮ−ＩＦのサービスを停止する。
【００４８】
本図と、図２および図３（実施例Ｉ）とを比べると、図２および図３に示すＯＤＮ２と同様のＯＤＮ２′がＯＤＮ２とは独立してさらに存在する点が異なる。したがってスプリッタ群についても、図２および図３に示すスプリッタ群３と同様のスプリッタ群３′が併存する。このため、ＯＬＴ２０では、ＯＤＮ２０に属するＰＯＮ−ＩＦ４１（０），４１（１）の他に、ＯＤＮ２′に属するＰＯＮ−ＩＦ４１（０）′，４１（１）′が併存する。ただし、このＯＬＴ２０内のＳＷ／ＣＯＮＶ４２は１つとし、これらＰＯＮ−ＩＦ４１（０），４１（１），４１（０）′，および４１（１）′が共用するものとする。
【００４９】
なお、ＯＤＮをＯＤＮ２および２′のように２系統敷設すること自体は周知の技術であり、通信の信頼性を高めるための１つの手法である。
この図７に示す実施例IIに基づくＰＯＮ１は、
“OLT only duplex system with dual path connection”（２ＯＮＵ（ＯＮＴ）／２ＰＯＮ）型のＰＯＮである。上述のとおり、この実施例IIにおいては、ＯＤＮを二系統敷設すること以外は実施例Ｉと同様の構成であり、同じく既述の問題点Ａ），Ｃ），Ｄ），Ｅ），Ｆ），Ｊ），Ｋ）およびＬ）を解決することができる。
【００５０】
本実施例IIでは、スプリッタ群３，３′を含めた形での二重のＯＤＮが敷設されていることから、スプリッタ群の故障にもホットスタンバイで対応可能である。この結果、既述の問題点Ｂ）およびＧ）をも解決し、二重化構成の加入者はスタンバイ側のＯＮＵ（ＯＮＴ）も、ＰＯＮ−Ｌａｙｅｒが動作しているためスタンバイ側で現用系のＰＯＮ−Ｌａｙｅｒ（ＰＯＮ−ＩＤ等）を関知する必要が無い。この結果、既述の問題点Ｈ）およびＩ）を回避できる。また既述の問題点Ｃ），Ｄ），Ｅ），Ｆ）およびＪ）を解決している。
【００５１】
図８はＯＮＵ（ＯＮＴ）とＳＷ／ＣＯＮＶとの間に故障が発生した場合の実施例IIの切替シーケンスを示す図であり、
図９はＯＮＵ（ＯＮＴ）とＯＬＴとの間の支線に故障が発生した場合の実施例IIの切替シーケンスを示す図であり、
図１０はＯＮＵ（ＯＮＴ）とＯＬＴとの間の幹線に故障が発生した場合の実施例IIの切替シーケンスを示す図である。
【００５２】
まず図８を参照すると、図７のＯＮＵ（ＯＮＴ）３１とＳＷ／ＣＯＮＶ３２との間で故障Ｘが発生したものとする（故障態様ａ）。するとＰＯＮネットワーク１内では、次のような動作が順次発生する。
＜II−ａ−１＞  ＳＷ／ＣＯＮＶ３２は、故障Ｘに起因して、Ｃｕｒｒｅｎｔ
ＯＮＵ（ＯＮＴ）との間での通信異常があることを検出する。
【００５３】
＜II−ａ−２＞  ＳＷ／ＣＯＮＶ３２は、Ｃｕｒｒｅｎｔ  ＯＮＵ（ＯＮＴ）との間を通信閉塞とする。そしてＴａｒｇｅｔ  ＯＮＵ（ＯＮＴ）のパスに切替える。
＜II−ａ−３＞  ＯＬＴ２０は、ＳＷ／Ｃｏｎｖｅｒｔｅｒからの切替通知を受信する。
【００５４】
＜II−ａ−４＞  ＯＬＴ２０は、故障Ｘの位置からして、Ｃｕｒｒｅｎｔ  ＯＮＵ（ＯＮＴ）との間の通信に異常がないことから、ＯＤＮには異常がないと判断し、使用できなくなったＣｕｒｒｅｎｔ  ＯＮＵ（ＯＮＴ）に対し閉塞指示を送信する。
＜II−ａ−５＞  ＯＬＴ２０はＣｕｒｒｅｎｔ  ＯＮＵからの閉塞完了通知を受信する。
【００５５】
次に図９を参照すると、図７のＯＮＵ（ＯＮＴ）３１とＯＬＴ２０との間の支線２ａで故障Ｘが発生したものとする（故障状態ｂ）。するとＰＯＮネットワーク１では、次のような動作が順次発生する。
＜II−ｂ−１＞  ＯＬＴ２０は、故障Ｘに起因して、Ｃｕｒｒｅｎｔ  ＯＮＵ（ＯＮＴ）との間の通信異常を検出する。
【００５６】
＜II−ｂ−２＞  ＯＬＴ２０は、他のＯＮＵ（ＯＬＴ）との通信には異常がないことから、ＯＤＮ２の幹線２ｂには異常はなく、Ｃｕｒｒｅｎｔ  ＯＮＵ（ＯＮＴ）へのＯＤＮの支線２ａもしくはＣｕｒｒｅｎｔ  ＯＮＵ（ＯＮＴ）の異常であると判断する。そして該当ＳＷ／Ｃｏｎｖｅｒｔｅｒへパス切替え指示を送信する。
【００５７】
＜II−ｂ−３＞  ＳＷ／ＣＯＮＶ３２は、Ｃｕｒｒｅｎｔ  ＯＮＵ（ＯＮＴ）との間の通信を閉塞する。そしてＴａｒｇｅｔ  ＯＮＵ（ＯＮＴ）のパスへ切替える。
＜II−ｂ−４＞  ＯＬＴ２０は、ＳＷ／Ｃｏｎｖｅｒｔｅｒからパス切替え完了通知を受信する。
【００５８】
次に図１０を参照すると、図７のＯＮＵ（ＯＮＴ）３１とＯＬＴ２０との間の幹線２ｂまたはスプリッタ群３で故障Ｘが発生したものとする（故障態様ｃ）。するとＰＯＮネットワーク１では、次のような動作が順次発生する。
＜II−ｃ−１＞  ＯＬＴ２０は、故障Ｘに起因して、Ｃｕｒｒｅｎｔ  ＯＮＵ（ＯＮＴ）との間の通信異常を検出する。それと同時に同一のＰＯＮ−ＩＦ４１（０）配下の全てのＯＮＵ（ＯＮＴ）との間の通信異常を検出する。
【００５９】
＜II−ｃ−２＞  ＯＬＴ２０は、Ｃｕｒｒｅｎｔ  ＯＮＵ（ＯＮＴ）が接続されているＯＤＮ２の幹線２ｂもしくはスプリッタ群３の異常と判断する。
＜II−ｃ−３＞  ＯＬＴ２０は、該当ＯＤＮの配下のＳＷ／Ｃｏｎｖｅｒｔｅｒへ、予備系パスへ切替えるべきことを指示する。そして障害を起こしたＯＤＮ側のＯＬＴの現用ＰＯＮ−ＩＦ４１（０）を予備系ＰＯＮ−ＩＦ４１（１）へ切替える。
【００６０】
＜II−ｃ−４＞  ＯＬＴ２０は、Ｃｕｒｒｅｎｔ  ＯＮＵ（ＯＮＴ）との間の通信を閉塞すると共に、Ｔａｒｇｅｔ  ＯＮＵ（ＯＮＴ）のパスへ切替える。
＜II−ｃ−５＞  ＯＬＴ２０はＳＷ／Ｃｏｎｖｅｒｔｅｒから、Ｔａｒｇｅｔ
ＯＮＵ（ＯＮＴ）経由でパス切替え完了通知を受信する。
＜II−ｃ−６＞  ＯＬＴ２０は、上記＜II−ｃ−５＞により予備系へ切替えた後も、該当ＰＯＮ−ＩＦ配下の全てのＯＮＵ（ＯＮＴ）との通信が不可であることを知ったものとする。
【００６１】
＜II−ｃ−７＞  そうするとＯＬＴ２０は、該当ＰＯＮ−ＩＦが接続されているＯＤＮ２のスプリッタ群３の異常であると判断する。そして該当ＰＯＮ−ＩＦのサービスを停止する。
〔実施例III 〕
図１１は実施例III に基づく光ネットワークを示す図であり、
図１２は実施例III に基づく他の光ネットワークを示す図である。
【００６２】
図１１および図１２に示す実施例III では、実施例ＩおよびIIにおいて、ＯＮＵ（ＯＮＴ）３１とは分離独立して設けられたＳＷ／ＣＯＮＶ３２が、ＯＮＵ（ＯＮＴ）３１の中に組み入れられこれと一体に形成されている。したがってユーザにとっては、取扱い、設置スペース等の点で有利である。
なお図１１および図１２の相違は、図２および図３の相違と同じであり、ＯＬＴ２０において、ＳＶ／ＣＯＮＶ４２を、ＰＯＮ−ＩＦ４１と一体に形成したか、分離独立して形成したか、の相違である。
【００６３】
図１１および図１２に示す実施例III に基づくＰＯＮ１は、
“OLT/ONU (ONT) duplex system with dual path connection”(１ｓｐｌｉｔｔｅｒ）型のＰＯＮである。すなわち、ＯＬＴ２０とＯＮＵ（ＯＮＴ）の双方が二重化構成であって、２つのパスコネクションを形成する形式のＰＯＮである。これについてさらに詳しく説明する。
【００６４】
実施例III は、実施例Ｉにおいて、ＯＮＵ（ＯＮＴ）３１をＶＰ（またはＴｉｍｅ−ｓｌｏｔ）の切替えおよび変換機能を持つＳＷ機能および２つのＰＯＮ−ＩＦ（またはＰＯＮ−ＬＴ）機能を内蔵させることにより加入者を二重化したものである。この２つのＰＯＮ−ＩＦ（ＰＯＮ−ＬＴ）機能の下流側入出力データは、独立したデータとしてＶＰ（またはＴｉｍｅ−ｓｌｏｔ）の切替えおよび変換機能部の入出力データとして取り扱われる。したがって、この二重化構成のＯＮＵ（ＯＮＴ）３１は、ＰＯＮ−Ｌａｙｅｒ上は２つの独立したＯＮＵ（ＯＮＴ）３１（０），３１（１）として取り扱われることになる。よって、この二重化ＯＮＵ（ＯＮＴ）における起動初期でのＰＯＮ−ＩＦの指定（どちらを最初に現用系にするか）は、２つのＰＯＮ−ＩＦ（ＬＴ）を独立のＯＮＵ（ＯＮＴ）と見なして取り扱うことにより制御可能である。
【００６５】
さらに、このような構成の二重化ＯＮＵ（ＯＮＴ）において、ＰＯＮ−ＩＦ（ＬＴ）機能に関しては一重化構成のＯＮＵ（ＯＮＴ）と違いがないことから、そのＰＯＮ−ＩＦ（ＬＴ）を一重化ＯＮＵ（ＯＮＴ）で容易に流用すること（例えばＰＯＮ−ＩＦカードをそのまま使用）が可能である。
本実施例III による二重化ＯＮＵ（ＯＮＴ）は、他社製のＯＬＴと接続した場合、その二重化ＯＮＵ（ＯＮＴ）の現用／予備の切替えについて、ＯＬＴからの指示による切替は不可能ではある。しかしながら、２つのＰＯＮ−ＩＦ（ＬＴ）入出力機能を、ＰＯＮ−Ｌａｙｅｒ上２台の独立したＯＮＵ（ＯＮＴ）として取り扱うことが可能であるから、２台の一重化ＯＮＵ（ＯＮＴ）として接続使用することが可能であることは明らかである。
【００６６】
また一方では、本実施例III で使用されるＯＮＵ（ＯＮＴ）は、一重化ＯＮＵ（ＯＮＴ）に対しては何ら特殊な機能を求めない（影響しない）ことから、二重化ＯＮＵ（ＯＮＴ）を不要とする加入者については、他社製の一重化ＯＮＵ（ＯＮＴ）と接続して使用することが可能である。
以上のように、本実施例III は二重化した加入者のＯＮＵ（ＯＮＴ）に、二重化インタフェースを持つ独自仕様のものを採用したこと以外は実施例Ｉと同様である。なおかつその二重化インタフェースの部分は、ＰＯＮ−Ｌａｙｅｒ上において何ら特殊な機能を求するものではない。この結果、既述の問題点Ａ），Ｃ），Ｄ），Ｅ），Ｆ），Ｊ）およびＫ）を解決することができる。
【００６７】
また、ＰＯＮ−Ｌａｙｅｒ上、二重化ＯＮＵ（ＯＮＴ）は２つのＯＮＵ（ＯＮＴ）と同様に取り扱われるため、二重化ＯＮＵ（ＯＮＴ）の一方への支線（２ａ）故障時には、ＰＯＮ−Ｌａｙｅｒ上は、故障した当該支線に接続されたＰＯＮ−ＩＦ（ＬＴ）を閉塞する処理のみでよく、ＯＤＮの面切替はもちろん新たなＯＮＵ（ＯＮＴ）の立ち上げも不要である。この結果、既述の問題点Ｌ）を解決することができる。
【００６８】
なお、前述のとおり、ＯＬＴ２０上のＶＰ（またはＴｉｍｅ−ｓｌｏｔ）の切替えおよび変換機能（ＳＷ／ＣＯＮＶ４２）の搭載位置により、２方式（図１１と図１２の２方式）がある。
図１３はＯＮＵ（ＯＮＴ）とＯＬＴとの間の支線に故障が発生した場合の実施例III の切替シーケンスを示す図であり、
図１４はＯＮＵ（ＯＮＴ）とＯＬＴとの間の幹線に故障が発生した場合の実施例III の切替シーケンスを示す図であり、
図１５はＯＮＵ（ＯＮＴ）とＯＬＴとの間のスプリッタ群３に故障が発生した場合の実施例III の切替シーケンスを表す図である。
【００６９】
まず図１３を参照すると、図１１（または図１２）のＯＮＵ（ＯＵＴ）３１とＯＬＴ２０との間の支線２ａで故障Ｘが発生したものとする（故障態様ｂ）。するとＰＯＮネットワーク１では、次のような動作が順次発生する。
＜III −ｂ−１＞  ＳＷ／ＣＯＮＶ３２は、Ｃｕｒｒｅｎｔ  ＰＯＮ−ＬＴより通信異常を検出する。
【００７０】
＜III −ｂ−２＞  ＳＷ／ＣＯＮＶ３２は、Ｃｕｒｒｅｎｔ  ＰＯＮ−ＬＴを閉塞する。そしてＴａｒｇｅｔ  ＰＯＮ−ＬＴへパスを切替える。
＜III −ｂ−３＞  ＯＬＴ２０は、ＯＮＵ（ＯＮＴ）からのパス切替え通知を受信する。
＜III −ｂ−４＞  ＯＬＴ２０は、他のＯＮＵ（ＯＮＴ）やＰＯＮ−ＬＴとの間の通信には異常がないことから（支線２ａの故障だから）ＯＤＮ２には異常がなく、ＯＮＵ（ＯＮＴ）のＣｕｒｒｅｎｔ  ＰＯＮ−ＬＴとスプリッタ群３との間の異常であると判断する。
【００７１】
次に図１４を参照すると、図１１（または図１２）のＯＮＵ（ＯＮＴ）３１とＯＬＴ２０との間の幹線２ｂで故障Ｘが発生したものとする（故障態様ｃ）。するとＰＯＮネットワーク１では、次のような動作が順次発生する。
＜III −ｃ−１＞  ＳＷ／ＣＯＮＶ３２は、ＰＯＮ−ＬＴの両系（現用系／予備系）から通信異常を検出する。
【００７２】
＜III −ｃ−２＞  ＯＬＴ２０は、全てのＯＮＵ（ＯＮＴ）との通信異常を検出する。
＜III −ｃ−３＞  ＯＬＴ２０は、ＯＤＮ２の幹線２ｂもしくはスプリッタ群３の異常であると判断する。そして予備系ＰＯＮ−ＩＦへパスを切替える。
＜III −ｃ−４＞  ＳＷ／ＣＯＮＶ３２は、ＯＮＵ（ＯＮＴ）のサービスと両系のＰＯＮ−ＬＴとを、自主的に閉塞する。
【００７３】
＜III −ｃ−５＞  ＯＬＴ２０は、予備系ＰＯＮ−ＩＦを起動し、ＯＮＵ（ＯＮＴ）との再接続を実施する。
＜III −ｃ−６＞  ＯＬＴ２０は、ＯＮＵ（ＯＮＴ）のサービスと両系のＰＯＮ−ＬＴの運用を再開する。
＜III −ｃ−７＞  ＯＬＴ２０は、ＯＮＵ（ＯＮＴ）より再開通知を受信する。ここにＯＬＴ２０は、幹線２ｂでの故障であったと判断する。
【００７４】
次に図１５を参照すると、図１１（または図１２）のＯＮＵ（ＯＮＴ）３１とＯＬＴ２０との間のスプリッタ群３で故障Ｘが発生したものとする（故障態様ｄ）。するとＰＯＮネットワーク１では、次のような動作が順次発生する。
＜III −ｄ−１＞  ＳＷ／ＣＯＮＶ３２は、ＰＯＮ−ＬＴの両系（現用系／予備系）から通信異常を検出する。
【００７５】
＜III −ｄ−２＞  ＯＬＴ２０は、全てのＯＮＵ（ＯＮＴ）との通信異常を検出する。
＜III −ｄ−３＞  さらに、ＯＤＮ２の幹線２ｂもしくはスプリッタ群３の異常であると判断する。そして予備系ＰＯＮ−ＩＦへパスを切替える。
＜III −ｄ−４＞  ＳＷ／ＣＯＮＶ３２は、ＯＮＵ（ＯＮＴ）のサービスと両系のＰＯＮ−ＬＴとを、自主的に閉塞する。
【００７６】
＜III −ｄ−５＞  ＯＬＴ２０では、予備系ＰＯＮ−ＩＦを起動し、ＯＮＵ（ＯＮＴ）との再接続を実施する。
＜III −ｄ−６＞  さらに、ＯＬＴ２０は、全てのＯＮＵ（ＯＮＴ）との通信再開が不可であることを知る。
＜III −ｄ−７＞  ここでＯＬＴ２０は、ＯＤＮ２のスプリッタ群３の故障が異常の原因であったと判断する。そして該当ＰＯＮ−ＩＦのサービスを停止する。
〔実施例IV〕
図１６は実施例IVに基づく光ネットワークを示す図である。
【００７７】
実施例IIが実施例Ｉに対してＯＤＮを２系統（２，２′）敷設した光ネットワークであるのと同様、この実施例IVは実施例III に対してＯＤＮを２系統（２，２′）敷設した光ネットワークである。
図１６に示す実施例IVに基づくＰＯＮ１は、
“Partial duplex system with dual path connection ”型のＰＯＮである。
【００７８】
本実施例IVは、実施例III に対応する方式をスプリッタ群３の故障に対応可能なように、実施例III にならって、ＯＤＮを二重に張ったものである。
実施例III の場合と同様に、二重化構成のＯＮＵ（ＯＮＴ）は独自仕様となるため、他社製のＯＬＴと接続することはできないが、一重化構成のＯＮＵ（ＯＮＴ）は他社製のものを使用することができる。
【００７９】
実施例IVの構成は、実施例IIおよびIII の構成を組み合わせたものに相当する。その結果、明らかに既述の問題点Ａ），Ｂ），Ｃ），Ｄ），Ｅ），Ｆ），Ｇ），Ｊ），Ｋ）およびＬ）を解決することができ、問題点Ｈ）およびＩ）も回避することができる。
図１７はＯＮＵ（ＯＮＴ）とＯＬＴとの間の支線に故障が発生した場合の実施例IVの切替シーケンスを示す図であり、
図１８はＯＮＵ（ＯＮＴ）とＯＬＴとの間の幹線に故障が発生した場合の実施例IVの切替シーケンスを示す図であり、
図１９はＯＮＵ（ＯＮＴ）とＯＬＴとの間のスプリッタ群３に故障が発生した場合の実施例IVの切替シーケンスを示す図である。
【００８０】
まず図１７を参照すると、図１６のＯＮＵ（ＯＮＴ）３１とＯＬＴ２０との間の支線２ａで故障Ｘが発生したものとする（故障態様ｂ）。
＜IV−ｂ−１＞  ＳＷ／ＣＯＮＶ３２は、Ｃｕｒｒｅｎｔ  ＰＯＮ−ＬＴから通信異常を検出する。
＜IV−ｂ−２＞  ＯＬＴ２０は、Ｃｕｒｒｅｎｔ  ＰＯＮ−ＬＴとの通信異常を検出する。
【００８１】
＜IV−ｂ−３＞  ＳＷ／ＣＯＮＶ３２は、Ｃｕｒｒｅｎｔ  ＰＯＮ−ＬＴを閉塞し、そしてＴａｒｇｅｔ  ＰＯＮ−ＬＴへのパスに切り替える。
＜IV−ｂ−４＞  ＯＬＴ２０は、ＯＮＵ（ＯＮＴ）からのパス切替え通知を受信する。
＜IV−ｂ−５＞  さらに、他のＯＮＵ（ＯＮＴ）やＰＯＮ−ＬＴとの通信には異常がないことから、Ｃｕｒｒｅｎｔ側のＯＤＮには異常がなく、ＯＮＵ（ＯＮＴ）のＣｕｒｒｅｎｔ  ＰＯＮ−ＬＴもしくはＯＤＮの支線２ａの異常であると判断する。
【００８２】
次に図１８を参照すると、図１６のＯＮＵ（ＯＮＴ）３１とＯＬＴ２０との間の幹線２ｂで故障Ｘが発生したものとする（故障態様ｃ）。
＜IV−ｃ−１＞  ＳＷ／ＣＯＮＶ３２は、Ｃｕｒｒｅｎｔ  ＰＯＮ−ＬＴから通信異常を検出する。
＜IV−ｃ−２＞  ＯＬＴ２０は、現用系ＰＯＮ−ＩＦの配下の全てのＯＮＵ（ＯＮＴ）との間の通信異常を検出する。
【００８３】
＜IV−ｃ−３＞  ＳＷ／ＣＯＮＶ３２は、Ｃｕｒｒｅｎｔ  ＰＯＮ−ＬＴを閉塞し、そしてＴａｒｇｅｔ  ＰＯＮ−ＬＴへのパスに切り替える。
＜IV−ｃ−４＞  ＯＬＴ２０は、ＯＮＵ（ＯＮＴ）からの切替え通知を受信する。
＜IV−ｃ−５＞  上記の受信により、ＯＬＴ２０は、現用系ＰＯＮ−ＩＦが接続されているＯＤＮの幹線２ｂもしくはスプリッタ群３の異常であると判断する。そして予備系ＰＯＮ−ＩＦへパスを切り替える。
【００８４】
＜IV−ｃ−６＞  ＯＬＴ２０は、予備系ＰＯＮ−ＩＦを起動し、その配下のＯＮＵ（ＯＮＴ）との再接続を実施する。
＜IV−ｃ−７＞  ＳＷ／ＣＯＮＶ３２は、＜IV−ｃ−３＞にて閉塞していたＰＯＮ−ＬＴを、予備系ＰＯＮ−ＬＴとして起動する。
＜IV−ｃ−８＞  ＯＬＴ２０は、配下のＯＮＵ（ＯＮＴ）から再接続の完了通知を受信する。そしてここに、故障は幹線２ｂの故障であると判断する。
【００８５】
次に図１９を参照すると、図１６のＯＮＵ（ＯＮＴ）３１とＯＬＴ２０との間のスプリッタ群３で故障Ｘが発生したものとする（故障態様ｄ）。
＜IV−ｄ−１＞  ＳＷ／ＣＯＮＶ３２は、Ｃｕｒｒｅｎｔ  ＰＯＮ−ＬＴから通信異常を検出する。
＜IV−ｄ−２＞  一方ＯＬＴ２０は、現用系ＰＯＮ−ＩＦの配下の全てのＯＮＵ（ＯＮＴ）との間の通信異常を検出する。
【００８６】
＜IV−ｄ−３＞  ＳＷ／ＣＯＮＶ３２では、Ｃｕｒｒｅｎｔ  ＰＯＮ−ＬＴを閉塞し、そしてＴａｒｇｅｔ  ＰＯＮ−ＬＴへのパスに切り替えを行う。
＜IV−ｄ−４＞  一方ＯＬＴ２０は、ＯＮＵ（ＯＮＴ）からのパス切替え通知を受信する。
＜IV−ｄ−５＞  この受信によりＯＬＴ２０は、現用系ＰＯＮ−ＩＦが接続されているＯＤＮ２の幹線２ｂもしくはスプリッタ群３の異常であると判断する。そして予備系ＰＯＮ−ＩＦへパスを切り替える。
【００８７】
＜IV−ｄ−６＞  さらにＯＬＴ２０は、予備系ＰＯＮ−ＩＦを起動し、その配下のＯＮＵ（ＯＮＴ）との再接続を実施する。
＜IV−ｄ−７＞  ここで配下の全てのＯＮＵ（ＯＮＴ）との再接続が不可であったものとする。
＜IV−ｄ−８＞  するとＯＬＴ２０は、ＯＤＮ２のスプリッタ群３の故障が異常の原因であるものと判断する。そして当該ＰＯＮ−ＩＦを通してのサービスを停止する。
【００８８】
実施例Ｉ〜IVに基づく各ＰＯＮ１において実行される切替シーケンスは上述のとおりである。次に本発明に基づく、加入者側光伝送装置１０および局側光伝送装置２０の各構成について改めて説明する。
まず前者の加入者側光伝送装置１０について見てみると、この装置１０は、光ネットワーク（ＰＯＮ）１において光伝送系（ＯＤＮ）２に接続し、少なくとも多重化構成の機器を含む装置であって、伝送経路切替手段１２を備えると共に、光伝送系２を形成する物理層より上位の論理層上において定義された異なる伝送経路を、伝送経路切替手段１２により、多重化構成の機器の現用系および予備系の各々に、個別に割り当てるように構成される。
【００８９】
また光伝送系２上で割り当てられた伝送経路を、配下の加入者４の端末に割り当てられた固有の伝送経路に変換する加入者側伝送経路変換手段１３を、伝送経路切替手段１２に対してさらに付加するようにする。
上記の構成において、光ネットワーク１がＡＴＭネットワークであるとき、上述の異なる伝送経路は、異なる仮想パス（ＶＰ）または仮想チャネル（ＶＣ）によって形成する。
【００９０】
あるいは、光ネットワーク１がＳＴＭネットワークであるときは、上述の異なる伝送経路は、異なるタイムスロット（Ｔｉｍｅ−ｓｌｏｔ）によって形成する。
なお上記の伝送経路切替手段１２は、光伝送系２上で発生した通信異常を契機に、切替を実行するようにする。
【００９１】
また上記の光伝送系が、相互に独立した第１光伝送系２および第２光伝送系２′からなるとき、２つの異なる伝送経路を、これら第１および第２光伝送系２，２′にそれぞれ割り当て、かつ、多重化構成の機器の現用系および予備系に該第１および第２光伝送系２，２′を個別に接続する（図７、図１６）。
さらに伝送経路切替手段１２および加入者側伝送経路変換手段１３は、多重化構成の機器の中に組み入れられて該多重化構成の機器と一体に形成される（図１２、図１６）。
【００９２】
なお多重化構成の機器は、少なくとも２つの異なる伝送経路にそれぞれ対応させた第１光終端部（ＰＯＮ−ＬＴ）６（０）および第２光終端部（ＰＯＮ−ＬＴ）６（１）を少なくとも有して構成される。
次に後者の局側光伝送装置２０について見ると、この装置２０は、光ネットワーク（ＰＯＮ）１において光伝送系（ＯＤＮ）２に接続し、多重化構成の機器を含む装置であって、伝送経路切替手段２２を備えると共に、光伝送系２を形成する物理層より上位の論理層上において定義された異なる伝送経路を、伝送経路切替手段２２により択一的に切り替えて加入者側との光通信を行うように構成される。
【００９３】
また光伝送系２上で割り当てられた伝送経路を、局５側への伝送に割り当てられた固有の伝送経路に変換する局側伝送経路変換手段２３を、伝送経路切替手段２２に対してさらに付加するようにする。
上記の構成において、光ネットワーク１がＡＴＭネットワークであるとき、上述の異なる伝送経路は、異なる仮想パス（ＶＰ）または仮想チャネル（ＶＣ）によって形成する。
【００９４】
あるいは、光ネットワーク１がＳＴＭネットワークであるときは、前述の異なる伝送経路は、異なるタイムスロット（Ｔｉｍｅ−ｓｌｏｔ）によって形成する。
なお伝送経路切替手段２２は、光伝送系２上で発生した通信異常を契機に、切替えを実行するようにする。
【００９５】
さらに多重化構成の機器は、現用系および予備系にそれぞれ対応させた第１光インタフェース部４１（０）および第２光インタフェース部４１（１）を少なくとも有して構成される。
また第１光インタフェース部４１（０）および第２光インタフェース部４１（１）の各々の中に、伝送経路切替手段２２および局側伝送経路変換手段２３を一体に組み入れて構成する（図２および図１１の４１（０），４１（１））。
【００９６】
あるいは伝送経路切替手段２２および局側伝送経路変換手段２３を、第１光インタフェース部４１（０）および第２光インタフェース部４１（１）に併設し、かつ、該第１および第２光インタフェース部が共用するように構成する（図３、図７、図１２および図１６の４２）。
また前記の光伝送系が、相互に独立した第１光伝送系２および第２光伝送系２′からなるとき、第１光インタフェース部４１（０）は第１光伝送系２に対して多重化構成された光インタフェース部とし、また、第２光インタフェース部４１（１）は第２光伝送系２′に対して多重化構成された光インタフェース部とするように構成する。
【００９７】
図２０は一体型加入者側光伝送装置の一例を示す図である。
本図の装置１０はより詳細には前述したＯＮＵ（ＯＮＴ）３１であり、ＰＯＮ−ＬＴ（０）には第１の伝送経路ＶＰ＃１を割り当て、ＰＯＮ−ＬＴ（１）には第２の伝送経路ＶＰ＃２を割り当てた例を示す。
既に述べた切替シーケンス（図４〜図６、図８〜図１０、図１３〜図１５、図１７〜図１９）の実行にはそのための処理装置が当然必要となる。例えばＭＰＵである。図２０を参照すると、このＭＰＵは、加入者４側においては、ＳＷ／ＣＯＮＶ３２（市販のＡＴＭ−ＳＷで構成できる）の内部に７１として設けることができる。あるいは、このＡＴＭ−ＳＷの外部に７１′として独立に設けることもできる。
【００９８】
局５側についても同様に、ＯＬＴ２０内に図２０に示すようにＭＰＵ（７１または７１′として）を設けることができる。
最後に、伝送経路切替手段（１２，２２）と伝送経路変換手段（１３，２３）の一具体例について説明する。
図２１はＳＷ／ＣＯＮＶ（３２，４２）の一具体例を示す図である。なおＳＷ／ＣＯＮＶ３２および４２は共に実質的に構成は同じであるから、加入者側のＳＷ／ＣＯＮＶ３２を代表例として、ＡＴＭ−ＰＯＮの場合を例にとって、説明する。
【００９９】
本図において、ＯＤＮ２側より２つのパスすなわちＶＰ＃１およびＶＰ＃２を介して入力された光信号ＩＮ１およびＩＮ２は、まず入力選択部５１に受信される。またこのときＩＮ１およびＩＮ２は、入力状態監視部５２にも入力される。
入力状態監視部５２は、エラーの有無を監視し、エラーの無い側を入力選択部５１に対して指示する。ここで選択されたＩＮ１またはＩＮ２は、ＶＰ変換部５４にさらに入力される。このＶＰ変換部５４は、入力状態監視部５２からどちらのパスを選択するかの指示を受けて、加入者側に予め設定されたＶＰ（例えばＶＰ＃０）に、ＶＰの付替えを行う。このＶＰの付替えは、例えばＶＰ変換部５４に内蔵されたテーブル（図示せず）を参照して行うことができる。この場合そのテーブルの内容は次のとおりである。
【０１００】
ＶＰ＃１→ＶＰ＃０
ＶＰ＃２→ＶＰ＃０
以上が下流側の系統である。上流側の系統は、加入者４側からの光信号を受信するＶＰ変換部６０を初段に備える。この受信した光信号はまずコピー部にてコピーされ、さらにＶＰ変換部（１）６１とＶＰ変換部（２）６２に送られる。ここでＶＰは、ＶＰ＃０から、ＶＰ＃１およびＶＰ＃２にそれぞれ付け替えられ、光の出力信号ＯＵＴ１およびＯＵＴ２として、ＯＤＮ２側へ送信される。
【０１０１】
図２１に関し、本発明にて使用されるＶＰ（またはＴｉｍｅ−ｓｌｏｔ）の切替および変換機能部についてさらに補足説明する。ここで述べたＶＰ（またはＴｉｍｅ−ｓｌｏｔ）の切替および変換機能部は、一般に存在する既存装置または構成を想定しており、２つまたはそれ以上の入力よりいずれか１つを選択し、選択した入力のＶＰ（またはＴｉｍｅ−ｓｌｏｔ）を、条件付けられた特定のＶＰ（またはＴｉｍｅ−ｓｌｏｔ）、例えば前述のＶＰ＃０、に変換して出力する機能である。この機能部においては、通信異常のない入力を選択候補とするが、各入力の通信状態は監視され（入力状態監視部５２）、随時その選択候補リストが更新される。現在選択中の入力に異常が生じた場合には、選択候補リストより新たな入力が選択され、ＶＰ（またはＴｉｍｅ−ｓｌｏｔ）変換部への新たな入力となる。
【０１０２】
以上図１〜図２１に基づいて詳述した本発明の実施態様は次のとおりである。
（付記１）  加入者側光伝送装置と、該加入者側光伝送装置に接続する光伝送系と、該加入者側光伝送装置と該光伝送系を介して光通信を行う局側光伝送装置とを有すると共に、該加入者側光伝送装置および該局側光伝送装置の少なくとも一方が、一重化構成の機器と多重化構成の機器との混在により構成される光ネットワークにおいて、
前記加入者側光伝送装置および該局側光伝送装置の少なくとも一方に、伝送経路切替手段を備え、
前記光伝送系を形成する物理層より上位の論理層上において定義された異なる伝送経路を、前記伝送経路切替手段により、前記多重化構成の機器の現用系および予備系の各々と、前記一重化構成の機器とに、個別に割り当てることを特徴とする光ネットワーク。
（付記２）  前記光伝送系上で割り当てられた前記伝送経路を、前記加入者側光伝送装置より下流側に割り当てられた固有の伝送経路に変換する加入者側伝送経路変換手段を、前記伝送経路切替手段に対してさらに付加することを特徴とする付記１に記載の光ネットワーク。
【０１０３】
（付記３）  前記光伝送系上で割り当てられた前記伝送経路を、前記局側光伝送装置より上流側に割り当てられた固有の伝送経路に変換する局側伝送経路変換手段を、前記伝送経路切替手段に対して、さらに付加することを特徴とする付記１に記載の光ネットワーク。
（付記４）  前記光ネットワークがＡＴＭネットワークであるとき、前記の異なる伝送経路は、異なる仮想パスまたは仮想チャネルによって形成されることを特徴とする付記１に記載の光ネットワーク。
【０１０４】
（付記５）  前記光ネットワークがＳＴＭネットワークであるとき、前記の異なる伝送経路は、異なるタイムスロットによって形成されることを特徴とする付記１に記載の光ネットワーク。
（付記６）  前記伝送経路切替手段は、前記光伝送系上で発生した通信異常を契機に、切替えを実行することを特徴とする付記１に記載の光ネットワーク。
【０１０５】
（付記７）  光ネットワークにおいて光伝送系に接続し、少なくとも多重化構成の機器を含む加入者側光伝送装置であって、
伝送経路切替手段を備え、
前記光伝送系を形成する物理層より上位の論理層上において定義された異なる伝送経路を、前記伝送経路切替手段により、前記多重化構成の機器の現用系および予備系の各々に、個別に割り当てることを特徴とする加入者側光伝送装置。
（付記８）  前記光伝送系上で割り当てられた前記伝送経路を、配下の加入者端末に割り当てられた固有の伝送経路に変換する加入者側伝送経路変換手段を、前記伝送経路切替手段に対してさらに付加することを特徴とする付記７に記載の加入者側光伝送装置。
（付記９）  前記光ネットワークがＡＴＭネットワークであるとき、前記の異なる伝送経路は、異なる仮想パスまたは仮想チャネルによって形成されることを特徴とする付記７に記載の加入者側光伝送装置。
（付記１０）  前記光ネットワークがＳＴＭネットワークであるとき、前記の異なる伝送経路は、異なるタイムスロットによって形成されることを特徴とする付記７に記載の加入者側光伝送装置。
【０１０６】
（付記１１）  前記伝送経路切替手段は、前記光伝送系上で発生した通信異常を契機に、切替を実行することを特徴とする付記７に記載の加入者側光伝送装置。
（付記１２）  前記光伝送系が、相互に独立した第１光伝送系および第２光伝送系からなるとき、２つの前記の異なる伝送経路を、該第１および第２光伝送系にそれぞれ割り当て、かつ、前記多重化構成の機器の現用系および予備系に該第１および第２光伝送系を個別に接続することを特徴とする付記７に記載の加入者側光伝送装置。
【０１０７】
（付記１３）  前記伝送経路切替手段および前記加入者側伝送経路変換手段は、前記多重化構成の機器の中に組み入れられて該多重化構成の機器と一体に形成されることを特徴とする付記８に記載の加入者側光伝送装置。
（付記１４）  前記多重化構成の機器は、少なくとも２つの前記の異なる伝送経路にそれぞれ対応させた第１光終端部および第２光終端部を少なくとも有してなることを特徴とする付記１３に記載の加入者側光伝送装置。
【０１０８】
（付記１５）  光ネットワークにおいて光伝送系に接続し、多重化構成の機器を含む局側光伝送装置であって、
伝送経路切替手段を備え、
前記光伝送系を形成する物理層より上位の論理層上において定義された異なる伝送経路を、前記伝送経路切替手段により択一的に切り替えて加入者側との光通信を行うことを特徴とする局側光伝送装置。
（付記１６）  前記光伝送系上で割り当てられた前記伝送経路を、局側への伝送に割り当てられた固有の伝送経路に変換する局側伝送経路変換手段を、前記伝送経路切替手段に対してさらに付加することを特徴とする付記１５に記載の局側光伝送装置。
【０１０９】
（付記１７）  前記光ネットワークがＡＴＭネットワークであるとき、前記の異なる伝送経路は、異なる仮想パスまたは仮想チャネルによって形成されることを特徴とする付記１５に記載の局側光伝送装置。
（付記１８）  前記光ネットワークがＳＴＭネットワークであるとき、前記の異なる伝送経路は、異なるタイムスロットによって形成されることを特徴とする付記１５に記載の局側光伝送装置。
【０１１０】
（付記１９）  前記伝送経路切替手段は、前記光伝送系上で発生した通信異常を契機に、切替えを実行することを特徴とする付記１５に記載の局側光伝送装置。
（付記２０）  前記多重化構成の機器は、現用系および予備系にそれぞれ対応させた第１光インタフェース部および第２光インタフェース部を少なくとも有してなることを特徴とする付記１６に記載の局側光伝送装置。
【０１１１】
（付記２１）  前記第１光インタフェース部および第２光インタフェース部の各々の中に、前記伝送経路切替手段および前記局側伝送経路変換手段を一体に組み入れて構成することを特徴とする付記２０に記載の局側光伝送装置。
（付記２２）  前記伝送経路切替手段および前記局側伝送経路変換手段を、前記第１光インタフェース部および第２光インタフェース部に併設し、かつ、該第１および第２光インタフェース部が共用するように構成することを特徴とする付記２０に記載の局側光伝送装置。
【０１１２】
（付記２３）  前記光伝送系が、相互に独立した第１光伝送系および第２光伝送系からなるとき、前記第１光インタフェース部は該第１光伝送系に対して多重化構成された光インタフェース部とし、また、前記第２光インタフェース部は該第２光伝送系に対して多重化構成された光インタフェース部とすることを特徴とする付記２２に記載の局側光伝送装置。
【０１１３】
【発明の効果】
以上説明したように本発明によれば、光ネットワークにおける通信異常発生時に機能するプロテクションシステム、特に、一重化構成の機器と二重化構成の機器とが混在するような光ネットワークにおいて、確実にプロテクション機能を発揮することのできるプロテクションシステムが実現される。
【０１１４】
より具体的には、１つまたは複数の物理インタフェースにて構成されたＯＤＮ２上に、一重化および多重化構成のＯＮＵ（ＯＮＴ）３１が混在するＰＯＮにおいて、他社製の一重化構成のＯＮＵ（ＯＮＴ）３１との接続も可能な、ＰＯＮプロテクションシステムを、ＰＯＮの特殊性に起因する二重化構成の実施に伴う既述の問題点を解決しあるいは回避しつつ、実現することができる。またＯＤＮ２上の幹線２ｂの故障とスプリッタ群３の故障との切り分けが可能となる。したがって、ＯＤＮ２の保守が容易となる。また、複雑なスプリッタ構成をとる必要もなくただ１つのスプリッタのみで構成することが可能であるため、スプリッタ数の削減によりスプリッタ群３においても、故障率が低下し、保守が容易となり、設置コストも低減される。
【図面の簡単な説明】
【図１】本発明に係る光ネットワークの基本構成を示す図である。
【図２】実施例Ｉに基づく光ネットワークを示す図である。
【図３】実施例Ｉに基づく他の光ネットワークを示す図である。
【図４】ＯＮＵ（ＯＮＴ）とＳＷ／ＣＯＮＶとの間に故障が発生した場合の実施例Ｉの切替シーケンスを示す図である。
【図５】ＯＮＵ（ＯＮＴ）とＯＬＴとの間の支線に故障が発生した場合の実施例Ｉの切替シーケンスを示す図である。
【図６】ＯＮＵ（ＯＮＴ）とＯＬＴとの間の幹線に故障が発生した場合の実施例Ｉの切替シーケンスを示す図である。
【図７】実施例IIに基づく光ネットワークを示す図である。
【図８】ＯＮＵ（ＯＮＴ）とＳＷ／ＣＯＮＶとの間に故障が発生した場合の実施例IIの切替シーケンスを示す図である。
【図９】ＯＮＵ（ＯＮＴ）とＯＬＴとの間の支線に故障が発生した場合の実施例IIの切替シーケンスを示す図である。
【図１０】ＯＮＵ（ＯＮＴ）とＯＬＴとの間の幹線に故障が発生した場合の実施例IIの切替シーケンスを示す図である。
【図１１】実施例III に基づく光ネットワークを示す図である。
【図１２】実施例III に基づく他の光ネットワークを示す図である。
【図１３】ＯＮＵ（ＯＮＴ）とＯＬＴとの間の支線に故障が発生した場合の実施例III の切替シーケンスを示す図である。
【図１４】ＯＮＵ（ＯＮＴ）とＯＬＴとの間の幹線に故障が発生した場合の実施例III の切替シーケンスを示す図である。
【図１５】ＯＮＵ（ＯＮＴ）とＯＬＴとの間のスプリッタ群３に故障が発生した場合の実施例III の切替シーケンスを示す図である。
【図１６】実施例IVに基づく光ネットワークを示す図である。
【図１７】ＯＮＵ（ＯＮＴ）とＯＬＴとの間の支線に故障が発生した場合の実施例IVの切替シーケンスを示す図である。
【図１８】ＯＮＵ（ＯＮＴ）とＯＬＴとの間の幹線に故障が発生した場合の実施例IVの切替シーケンスを示す図である。
【図１９】ＯＮＵ（ＯＮＴ）とＯＬＴとの間のスプリッタ群３に故障が発生した場合の実施例IVの切替シーケンスを示す図である。
【図２０】一体型加入者側光伝送装置の一例を示す図である。
【図２１】ＳＷ／ＣＯＮＶ（３２，４２）の一具体例を示す図である。
【図２２】プロテクション機能を備える従来の光ネットワークの構成例を示す図である。
【符号の説明】
１…光ネットワーク（ＰＯＮ）
２，２′…光伝送系（ＯＤＮ）
２ａ…支線
２ｂ…幹線
３，３′…スプリッタ群
４…加入者
５…局
６…一重化構成のＰＯＮ−ＬＴ
６（０），６（１）…二重化構成のＰＯＮ−ＬＴ
７（０），７（１）…二重化構成のＰＯＮ−ＩＦ
１０…加入者側光伝送装置（ＯＮＵ（ＯＮＴ））
１１…一重化構成の機器
１１（０），１１（１）…二重化構成の機器
１２…伝送経路切替手段（加入者側）
１３…伝送経路変換手段（加入者側）
２０…局側光伝送装置（ＯＬＴ）
２１（０），２１（１）…二重化構成の機器
２２…伝送経路切替手段（局側）
２３…伝送経路変換手段（局側）
３１…ＯＮＵ（ＯＮＴ）
３２…切替／変換部（ＳＷ／ＣＯＮＶ）
４１（０）…ＰＯＮ−ＩＦ（０）
４１（１）…ＰＯＮ−ＩＦ（１）
４２…切替／変換部（ＳＷ／ＣＯＮＶ）
【図１】
0003775995.tif 000002
【図２】
0003775995.tif 000003
【図３】
0003775995.tif 000004
【図４】
0003775995.tif 000005
【図５】
0003775995.tif 000006
【図６】
0003775995.tif 000007
【図７】
0003775995.tif 000008
【図８】
0003775995.tif 000009
【図９】
0003775995.tif 000010
【図１０】
0003775995.tif 000011
【図１１】
0003775995.tif 000012
【図１２】
0003775995.tif 000013
【図１３】
0003775995.tif 000014
【図１４】
0003775995.tif 000015
【図１５】
0003775995.tif 000016
【図１６】
0003775995.tif 000017
【図１７】
0003775995.tif 000018
【図１８】
0003775995.tif 000019
【図１９】
0003775995.tif 000020
【図２０】
0003775995.tif 000021
【図２１】
0003775995.tif 000022
【図２２】
0003775995.tif 000023